(57)【特許請求の範囲】
【請求項１】
交流電源から供給された交流を直流に変換する第１変換手段と、
前記交流電源から供給された交流を第２負荷へ供給するための直流に変換する第２変換手段と、
前記交流電源から供給された交流を第１負荷へ供給するための直流に変換する第３変換手段と、
前記第１負荷および第２負荷への電力供給を停止するために操作され、シャットダウンを指示する指示信号を発生するメインスイッチと、
前記指示信号が入力されると、前記交流電源から前記第３変換手段への交流の供給を遮断し、前記第１負荷を停止させる第１遮断手段と、
前記第１変換手段から出力される直流電圧を供給されて動作し、前記指示信号が入力されると、前記第２負荷を停止させるためのシャットダウン処理を実行し、当該第２負荷のシャットダウン処理が完了すると、前記第２変換手段を停止させるための動作信号を出力する制御手段と、
前記第２変換手段を停止させるための前記動作信号が入力されると、前記交流電源から前記第２変換手段への交流の供給を遮断し、前記第２負荷を停止させる第２遮断手段と
を有し、
前記第１遮断手段は、前記指示信号と前記動作信号の何れかが入力されると前記交流電源から前記第３変換手段への交流の供給を遮断することを特徴とする電源装置。
【請求項２】
前記第１遮断手段は、第１電磁コイルを備えた第１リレーであり、当該第１電磁コイルの一端に前記指示信号が入力されると、前記第１リレーは前記交流電源から前記第３変換手段への交流の供給を遮断するように動作することを特徴とする請求項１に記載の電源装置。
【請求項３】
前記第１電磁コイルの他端には、第１スイッチング素子が接続されており、前記第２変換手段を停止させるための動作信号によって当該第１スイッチング素子がオフに切り替わると、前記第１リレーは、前記交流電源から前記第３変換手段への交流の供給を遮断することを特徴とする請求項２に記載の電源装置。
【請求項４】
前記指示信号は、前記第１電磁コイルの一端をローレベルにする信号であることを特徴とする請求項２または３に記載の電源装置。
【請求項５】
前記第２遮断手段は、第２電磁コイルを備えた第２リレーであり、当該第２電磁コイルの一端には前記第１変換手段からの直流の電圧が印加され、前記第２電磁コイルの他端には、第２スイッチング素子が接続されており、前記第２変換手段を停止させるための動作信号によって当該第２スイッチング素子がオフに切り替わると、当該第２リレーは、前記交流電源から前記第２変換手段への交流の供給を遮断することを特徴とする請求項１ないし４のいずれか１項に記載の電源装置。
【請求項６】
前記第２変換手段に交流を供給する２本のラインのうち一方のラインと、前記第３変換手段に交流を供給する２本のラインのうち一方のラインはともに前記第２リレーに接続されており、前記第２リレーがオフになることで、前記第２変換手段に交流を供給する２本のラインのうち一方のラインと、前記第３変換手段に交流を供給する２本のラインのうち一方のラインはともに前記交流電源から遮断されることを特徴とする請求項５に記載の電源装置。
【請求項７】
前記第１変換手段は、前記メインスイッチの状態に拘わらず交流を直流に変換し、前記第２変換手段および前記第３変換手段は、前記第１変換手段を介することなく交流を直流に変換することを特徴とする請求項１乃至６の何れか１項に記載の電源装置。
【請求項８】
前記第１変換手段が出力する直流電圧は前記第２変換手段が出力する直流電圧よりも低いことを特徴とする請求項１乃至７の何れか１項に記載の電源装置。
【請求項９】
請求項１ないし８のいずれか１項に記載の電源装置と、
前記電源装置から電力を供給されて画像を形成する画像形成部と
を有することを特徴とする画像形成装置。
【発明の詳細な説明】
【技術分野】
【０００１】
本発明は電源装置およびそれを備えた画像形成装置に関する。
【背景技術】
【０００２】
近年の画像形成装置は画像データやプログラムファイルのサイズが増加しているため、それを記憶可能なハードディスクドライブ（以下、ＨＤＤと略す）を搭載している。ＨＤＤは、半導体メモリなどと比較すると、故障の確率が高い記憶装置である。たとえば、ＨＤＤのヘッドがデータにアクセス中であることに気づかずに、ユーザーが画像形成装置の主電源スイッチをオフに切り替えてしまうと、ヘッドが安全位置へ退避できなくなり、ＨＤＤの故障やデータの消失が発生することがある。よって、主電源スイッチがオフにされたときに、ＨＤＤを保護する何らかの方法が必要となる。一方で、画像形成装置は、様々な負荷（モータやヒータ、高圧電源など）を備えている。ユーザーが負荷の異常に気付いて、主電源スイッチをオフに切り替えたときは、即座に、これらの負荷への電力の供給を遮断する必要がある。
【０００３】
特許文献１によれば、交流電源から電力の供給と遮断とを切り替える主電源スイッチと並列にリレーを結合しておき、主電源スイッチがオフにされたとしても一定期間はリレーを介して交流電源からの電力を供給し続ける発明が記載されている。また、特許文献１によれば、主電源スイッチがオンかオフかを示す状態信号に連動して動作するリレーを設け、このリレーによってモータ等の負荷への電力の供給を即時に遮断することも記載されている。
【先行技術文献】
【特許文献】
【０００４】
【特許文献１】特開２０１１−２２７７５号公報
【発明の概要】
【発明が解決しようとする課題】
【０００５】
特許文献１によれば、主電源スイッチがオフになると、モータ等の負荷に対しては電力の供給が即座に遮断されるものの、ＨＤＤへの電力の供給を継続できる利点がある。しかし、特許文献１の発明ではスイッチやリレーの数が多くなってしまうという新たな課題が生じている。そこで、本発明は、ＨＤＤなどシャットダウンが必要な負荷の保護と、シャットダウンが不要な負荷への電力の即時遮断とを両立しつつ、スイッチやリレーの数を削減することを目的とする。
【課題を解決するための手段】
【０００６】
本発明は、たとえば、
交流電源から供給された交流を直流に変換する第１変換手段と、
前記交流電源から供給された交流を第２負荷へ供給するための直流に変換する第２変換手段と、
前記交流電源から供給された交流を第１負荷へ供給するための直流に変換する第３変換手段と、
前記第１負荷および第２負荷への電力供給を停止するために操作され、シャットダウンを指示する指示信号を発生するメインスイッチと、
前記指示信号が入力されると、前記交流電源から前記第３変換手段への交流の供給を遮断し、前記第１負荷を停止させる第１遮断手段と、
前記第１変換手段から出力される直流電圧を供給されて動作し、前記指示信号が入力されると、前記第２負荷を停止させるためのシャットダウン処理を実行し、当該第２負荷のシャットダウン処理が完了すると、前記第２変換手段を停止させるための動作信号を出力する制御手段と、
前記第２変換手段を停止させるための前記動作信号が入力されると、前記交流電源から前記第２変換手段への交流の供給を遮断し、前記第２負荷を停止させる第２遮断手段と
を有し、
前記第１遮断手段は、前記指示信号と前記動作信号の何れかが入力されると前記交流電源から前記第３変換手段への交流の供給を遮断することを特徴とする電源装置を提供する。
【発明の効果】
【０００７】
本発明によれば、メインスイッチがオフになると、シャットダウンが必要な負荷についてはシャットダウンが完了してから電力の供給が停止し、かつ、シャットダウンが不要な負荷への電力の供給は即座に遮断される。さらに、リレーとスイッチの数を従来技術よりも減らすことができる。
【図面の簡単な説明】
【０００８】
【図１】実施例１、２の画像形成装置を示す図
【図２】実施例１の電源装置を示す図
【図３】実施例１の各信号と各電圧のタイミングを示す図
【図４】実施例２の電源装置を示す図
【図５】実施例２の各信号と各電圧のタイミングを示す図
【発明を実施するための形態】
【０００９】
＜実施例１＞
図１を用いて、本実施例にかかる電源装置によって電力を供給されて動作する画像形成装置の一例について説明する。画像形成装置１００は、プリンタや複合機、ファクシミリ装置であってもよいが、ここでは電子写真方式のカラー複写機とする。なお、本発明は、単色画像を形成するモノクロの画像形成装置にも適用できる。また、本発明は、シャットダウンが必要な負荷と、シャットダウンが不要な負荷とを備えた電子機器であれば、適用可能である。画像形成装置１００は、原稿から画像を読み取る画像読取部１Ｒと、画像を転写材に形成する画像出力部１Ｐとを有している。画像出力部１Ｐは、４つの画像形成部１０と、給紙ユニット２０と、中間転写ユニット３０と、定着ユニット４０を有している。
【００１０】
画像形成部１０は、トナー画像を担持する像担持体としてのドラム状の電子写真感光体、即ち、感光体ドラム１１を有している。感光体ドラム１１はＤＣブラシレスモータなどのモータによって駆動される。一次帯電器１２は帯電高圧（例：１〜２ＫＶ）を感光体ドラム１１に印加することで、感光体ドラム１１の表面を均一に帯電させる。露光装置１３は、画像読取部１Ｒから出力された画像信号にしたがって変調したレーザービームを感光体ドラム１１の表面に照射する。これにより、静電潜像が形成される。現像装置１４は、現像剤（トナー）を用いて静電潜像をトナー画像へと現像する。現像装置１４は、現像高圧（例：２ＫＶ）を現像ニップ部に印加することで、トナー画像の形成を促進する。トナー画像は、画像転写領域Ｔａにおいて、中間転写ユニット３０を構成する像担持体としてのベルト状の中間転写体、即ち、中間転写ベルト３１に転写される。一次転写領域Ｔａには一次転写高圧（例：１〜２ＫＶ）が印加される。
【００１１】
給紙ユニット２０は、カセットや手差しトレイに収納されている転写材Ｐを搬送路へ給紙し、搬送路にそって搬送する。二次転写領域Ｔｅで転写材Ｐは、中間転写ベルト３１からトナー画像を転写される。二次転写領域Ｔｅには二次転写高圧（例：３〜５ＫＶ）が印加されている。定着ユニット４０は、転写材Ｐ上の未定着のトナー画像に対して熱と圧力を加えることで、転写材Ｐ上にトナー画像を定着させる。転写材Ｐは、用紙、記録材、記録媒体、印刷媒体と呼ばれることもある。
【００１２】
図２に示す本実施例の電源装置２００について説明する。電源装置２００が画像形成装置１００の画像形成部１０などに電力を供給することで、画像形成部１０が画像を形成する。第一ＤＣ電源１０１は商用交流電源１２０から供給された交流電圧を変換して直流電圧を生成する電源回路である。つまり、第一ＤＣ電源１０１は、交流電源から供給された交流を直流に変換する第１変換手段として機能しうる。第一ＤＣ電源１０１は、主電源スイッチ１０２のオン／オフにかかわらず、商用交流電源１２０から電力が供給されており、電圧Ｖｃｃ＿Ａを出力する。電圧Ｖｃｃ＿Ａは、第二のリレー１０５に供給される。第一ＤＣ電源１０１は、画像形成装置１００の動作を制御する制御回路１０９にも直流の電圧Ｖｃｃ＿Ａ（例：ＤＣ３．３Ｖ）を供給する。主電源スイッチ１０２は、オペレーターによって操作されるメインスイッチの一例である。
【００１３】
制御回路１０９は制御プログラムや画像データ等を記憶するためのハードディスクドライブ（ＨＤＤ１１３）を備えている。また、電圧Ｖｃｃ＿Ａは主電源スイッチ１０２の一方の端子に印加されている。主電源スイッチ１０２の他方の端子は、制御回路１０９の信号入力端子と、第一のリレー１０７に内蔵されている電磁コイル１７５の一方の端子とに接続されている。なお、リレーは、電磁コイルのオン／オフにしたがって２つの接点間をクローズ／オープンに切り替えるスイッチ素子である。主電源スイッチ検出信号Ｓ１は、主電源スイッチ１０２によって生成される信号であり、主電源スイッチ１０２がオン状態であるのかオフ状態であるのかを示す状態信号である。主電源スイッチ検出信号Ｓ１は、制御回路１０９の信号入力端子と、第一のリレー１０７に内蔵されている電磁コイル１７５の一方の端子とに入力される。第一のリレー１０７に内蔵されている電磁コイル１７５の他方の端子には第二のリレー駆動トランジスタ１１９が接続されている。
【００１４】
第二ＤＣ電源１０３は、交流電源から供給された交流を第２負荷へ供給するための直流に変換する第２変換手段として機能しうる。第二ＤＣ電源１０３は、第二のリレー１０５を介した第一のＡＣ供給ライン１１０と、第三のＡＣ供給ライン１１２とを通じて、商用交流電源１２０からの交流が供給される。第二のリレー１０５が備える電磁コイル１５５の一方の端子にはＶｃｃ＿Ａが印加され、他方の端子には第一のリレー駆動トランジスタ１１８が接続されている。第一のリレー駆動トランジスタ１１８や第二のリレー駆動トランジスタ１１９はそれぞれ第２スイッチング素子や第１スイッチング素子として機能する。第二ＤＣ電源１０３は、ＨＤＤ１１３を駆動するための直流の電圧Ｖｃｃ＿Ｂ（例：ＤＣ５Ｖ）を生成する。
【００１５】
電圧Ｖｃｃ＿Ａが供給されると、制御回路１０９は動作を開始し、第二ＤＣ電源１０３を起動するためのハイレベルのシャットダウン信号Ｓ２を出力する。シャットダウン信号Ｓ２は、第一のリレー駆動トランジスタ１１８の駆動端子と、第二のリレー駆動トランジスタ１１９の駆動端子とに供給される。ハイレベルのシャットダウン信号Ｓ２が出力されているときは、第二のリレー１０５および第一のリレー１０７がそれぞれオンするように、第一のリレー駆動トランジスタ１１８と第二のリレー駆動トランジスタ１１９が動作する。一方で、主電源スイッチ検出信号Ｓ１がローレベルになると、制御回路１０９は、シャットダウン信号Ｓ２をローレベルに切り替える。主電源スイッチ検出信号Ｓ１がハイレベルからローレベルに切り替わることが電源をシャットダウンすることを指示する指示信号に相当する。シャットダウン信号Ｓ２がローレベルになると、第二のリレー１０５および第一のリレー１０７がそれぞれオフするように、第一のリレー駆動トランジスタ１１８と第二のリレー駆動トランジスタ１１９が動作する。なお、本実施例で、第一のリレー１０７は、シャットダウン信号Ｓ２がローレベルになるよりも先に主電源スイッチ検出信号Ｓ１がローレベルになることで、オフに切り替わる。
【００１６】
第三ＤＣ電源１０４は、交流電源から供給された交流を第１負荷へ供給するための直流に変換する第３変換手段として機能しうる。第三ＤＣ電源１０４は、感光体ドラム１１などの各駆動部を駆動するモータ１１４、一次帯電器１２等に高圧電源を供給する高圧電源１１５、定着ユニット４０内のヒータ等の負荷を駆動するための電圧Ｖｃｃ＿Ｃ（例：ＤＣ２４Ｖ）を発生する。第三ＤＣ電源１０４は、第二のリレー１０５を介して第一のＡＣ供給ライン１１０と、第一のリレー１０７を介して第二のＡＣ供給ライン１１１とに接続されている。このように、第二のリレー１０５と第一のＡＣ供給ライン１１０は、第二ＤＣ電源１０３と第三ＤＣ電源１０４によって共用されている。主電源スイッチ検出信号Ｓ１が供給されると、第一のリレー１０７がオンし、商用交流電源１２０からの交流が第三ＤＣ電源１０４に供給される。
【００１７】
図３（Ａ）を用いて主電源スイッチ１０２がオンされたときの電源装置２００の動作を説明する。なお、信号や電圧の波形とタイミングは、説明の便宜上、一部では誇張され、また一部では簡略化されている。
【００１８】
第一ＤＣ電源１０１は商用交流電源１２０から常に電力が供給されているため、電圧Ｖｃｃ＿Ａを常に出力している。時刻ｔ１において、主電源スイッチ１０２がオンされると、制御回路１０９と第一のリレー１０７にハイレベルの主電源スイッチ検出信号Ｓ１が供給される。その後、時刻ｔ２において、制御回路１０９はハイレベルのシャットダウン信号Ｓ２を出力する。これにより、第一のリレー駆動トランジスタ１１８および第二のリレー駆動トランジスタ１１９が動作し、第二のリレー１０５および第一のリレー１０７をオンする。時刻ｔ３において、第二ＤＣ電源１０３は、第一のＡＣ供給ライン１１０、第三のＡＣ供給ライン１１２から交流を供給され、電圧Ｖｃｃ＿Ｂを発生する。制御回路１０９は電圧Ｖｃｃ＿Ｂが供給されると、ＨＤＤ１１３の制御をはじめる。つまり、ＨＤＤ１１３は電圧Ｖｃｃ＿Ｂで駆動される。
【００１９】
第三ＤＣ電源１０４も、時刻ｔ３において、第一のリレー１０７を介して第二のＡＣ供給ライン１１１から交流を供給される。これにより、第三ＤＣ電源１０４は電圧Ｖｃｃ＿Ｃを出力する。第三ＤＣ電源１０４は、駆動回路１１７に電圧Ｖｃｃ＿Ｃを供給する。電圧Ｖｃｃ＿Ｃを供給された駆動回路１１７はモータ１１４、高圧電源１１５およびヒータ１１６などの制御をはじめる。
【００２０】
このように主電源スイッチ１０２がオンされたあと、第二ＤＣ電源１０３および第三ＤＣ電源１０４はそれぞれ電圧Ｖｃｃ＿Ｂ、Ｖｃｃ＿Ｃの出力を開始し、画像形成装置１００は画像形成動作を開始可能となる。
【００２１】
図３（Ｂ）を用いて主電源スイッチがオフされたときの電源装置２００の動作を説明する。なお、信号や電圧の波形とタイミングは、説明の便宜上、一部では誇張され、また一部では簡略化されている。
【００２２】
時刻ｔ４において、主電源スイッチ１０２がオフされると、電圧Ｖｃｃ＿Ａの供給が遮断されるため、主電源スイッチ検出信号Ｓ１がローレベルになる。主電源スイッチ検出信号Ｓ１がローレベルになると、第一のリレー１０７がオフになる。よって、第二のＡＣ供給ライン１１１からの交流の供給が遮断され、時刻ｔ５において第三ＤＣ電源１０４の出力はオフとなる。このように、主電源スイッチ１０２のオフに連動して負荷駆動用の電圧Ｖｃｃ＿Ｃはゼロになる。前述したように電圧Ｖｃｃ＿Ｃは画像形成装置１００の感光体ドラム１１などの各駆動部を駆動するモータ１１４、一次帯電器１２等に高電圧を供給する高圧電源１１５、定着ユニット４０のヒータなどの負荷を駆動する電圧である。そのため、オペレーターが主電源スイッチ１０２をオフにすると、消費電力が多い負荷への電力供給は即時に遮断される。なお、この時点で第三ＤＣ電源１０４への交流の供給ラインのうち、第二のＡＣ供給ライン１１１だけが遮断されており、第一のＡＣ供給ライン１１０は遮断されていない。
【００２３】
時刻ｔ５において、第二のリレー１０５は第一ＤＣ電源１０１から電圧Ｖｃｃ＿Ａを供給され続けており、また、制御回路１０９はハイレベルのシャットダウン信号Ｓ２を出力し続けている。そのため、時刻ｔ５においては、第一のＡＣ供給ライン１１０を通じて、第二ＤＣ電源１０３に電力が供給される。そのため主電源スイッチ１０２がオフされても電圧Ｖｃｃ＿Ｂが出力される。
【００２４】
制御回路１０９は、シャットダウン動作を開始するまではシャットダウン信号Ｓ２をハイレベルに維持する。シャットダウン動作を開始するときに、制御回路１０９は、シャットダウン信号Ｓ２をローレベルに変更する。シャットダウン動作とは、制御回路１０９が画像形成装置１００をオフするために必要な処理（例：ＨＤＤ１１３のデータ退避処理等）である。よって、データ退避処理が完了するまでは、制御回路１０９はＨＤＤ１１３に電力を供給しておく必要がある。時刻ｔ６においてシャットダウン動作が完了すると、制御回路１０９はシャットダウン信号Ｓ２をローレベルに切り替える。シャットダウン信号Ｓ２をローレベルに切り替わると、第一のリレー駆動トランジスタ１１８によって第二のリレー１０５がオフにされる。これにより、第一のＡＣ供給ライン１１０が遮断される。この際、第三のＡＣ供給ライン１１２は通電状態のままである。時刻ｔ７において、第二ＤＣ電源１０３は電圧Ｖｃｃ＿Ｂの出力を停止し、制御回路１０９への電圧Ｖｃｃ＿Ｂの供給が停止される。またこの動作により、第三ＤＣ電源１０４は、第一のＡＣ供給ライン１１０および第二のＡＣ供給ライン１１１の双方から遮断される。
【００２５】
このように、本実施例によれば、第一のリレー１０７は、主電源スイッチ１０２がオフに切り替わったことを主電源スイッチ検出信号Ｓ１が示すと、商用交流電源１２０から第三ＤＣ電源１０４への交流の供給を遮断し、第１負荷であるモータ１１４や高圧電源１１５等を停止させる第１遮断手段として機能する。また、制御回路１０９は、主電源スイッチ１０２がオフに切り替わったことを主電源スイッチ検出信号Ｓ１が示すと、第２負荷であるＨＤＤ１１３を安全に停止させるためのシャットダウン処理を実行し、ＨＤＤ１１３のシャットダウン処理が完了すると、第二ＤＣ電源１０３を停止させるための動作信号を出力する制御手段として機能する。また、第二のリレー１０５は、第二ＤＣ電源１０３を停止させるための動作信号が入力されると、商用交流電源１２０から第二ＤＣ電源１０３への交流の供給を遮断し、ＨＤＤ１１３を停止させる第２遮断手段として機能する。よって、主電源スイッチ１０２がオフに操作されると、退避処理の必要のない負荷への電力の供給は即時に停止し、退避処理の必要な負荷への電力の供給は一時的に維持することが可能となる。一方で、本実施例では、第１遮断手段および第２遮断手段はリレーで実現可能である。従来技術では、合計で４つのスイッチとリレーが必要であったが、本実施例では合計で３つのスイッチとリレーがあればよい。よって、スイッチやリレーの数を削減できる。このように、本実施例では、ＨＤＤなどシャットダウンが必要な負荷の保護と、シャットダウンが不要な負荷への電力の即時遮断とを両立しつつ、スイッチやリレーの数を削減した回路構成を提供できる。
【００２６】
第一のリレー１０７は、第１電磁コイルである電磁コイル１７５を備えた第１リレーとして機能する。第二のリレー１０５は、第２電磁コイルである電磁コイル１５５を備えた第２リレーとして機能する。電磁コイル１７５は、主電源スイッチ検出信号Ｓ１が印加され、主電源スイッチ１０２がオフに切り替わったことを主電源スイッチ検出信号Ｓ１が示すと、第一のリレー１０７は、商用交流電源１２０から第三ＤＣ電源１０４への交流の供給を遮断するように動作する。電磁コイル１５５の一端には直流の電圧Ｖｃｃ＿Ａが印加されている。電磁コイル１５５の他端には、ローレベルのシャットダウン信号Ｓ２が入力されるとオフに切り替わるスイッチング素子が接続されている。つまり、ローレベルのシャットダウン信号Ｓ２が入力されると、第二のリレー１０５は、商用交流電源１２０から第二ＤＣ電源１０３への交流の供給を遮断する。このような信号の接続パターンは、特に、スイッチやリレーの数を削減するために貢献しているといえよう。
【００２７】
また、第二ＤＣ電源１０３に交流を供給する２本のラインのうち一方のラインと、第三ＤＣ電源１０４に交流を供給する２本のラインのうち一方のラインはともに第二のリレー１０５に接続されている。よって、第二のリレー１０５がオフになれば、第二ＤＣ電源１０３の一方のラインと第三ＤＣ電源１０４の一方のラインとを同時に商用交流電源１２０から遮断できる。なお、第三ＤＣ電源１０４については、最終的に両方のＡＣ供給ラインを遮断することが可能となる。これは、一方のラインには第一のリレー１０７が接続されており、他方のラインには第二のリレー１０５が接続されているからである。
【００２８】
＜実施例２＞
図４を用いて本実施例の電源装置４００について説明する。説明の簡潔化のため実施例１と同様の構成には同一の参照符号を付与する。電源装置４００も画像形成装置に搭載可能である。実施例２では、実施例１の第一のリレー１０７が、商用交流電源１２０からの交流を通電／遮断することが可能な主電源スイッチ１２１に置き換えられている。主電源スイッチ検出信号Ｓ１を生成する主電源スイッチ１０２は、主電源スイッチ１２１と連動するように統合されている。
【００２９】
第三ＤＣ電源１０４は、第二のリレー１０５を介して第一のＡＣ供給ライン１１０と接続されており、主電源スイッチ１２１を介して第二のＡＣ供給ライン１１１に接続されている。第三ＤＣ電源１０４と第二ＤＣ電源１０３が、第二のリレー１０５を介して、第一のＡＣ供給ライン１１０を共用していることは実施例１で説明したとおりである。主電源スイッチ１２１がオンすると、ＡＣ供給ライン１１１を通じて交流が第三ＤＣ電源１０４に供給される。
【００３０】
図５（Ａ）を用いて、主電源スイッチ１０２、１２１がオンされたときの動作を説明する。なお、信号や電圧の波形とタイミングは、説明の便宜上、一部では誇張され、また一部では簡略化されている。
【００３１】
時刻ｔ１において、主電源スイッチ１０２、１２１がオンされると、第二のＡＣ供給ライン１１１から第三ＤＣ電源１０４へ交流が供給される。また、主電源スイッチ１０２がオンされたことにより、制御回路１０９にハイレベルの主電源スイッチ検出信号Ｓ１が供給される。
【００３２】
時刻ｔ２において、制御回路１０９は、ハイレベルのシャットダウン信号Ｓ２を出力する。シャットダウン信号Ｓ２がローレベルからハイレベルに切り替わったことで、第一のリレー駆動トランジスタ１１８がオンとなり、第二のリレー１０５をオンに切り替える。これにより、第一のＡＣ供給ライン１１０を通じて第二ＤＣ電源１０３へ交流が供給される。
【００３３】
時刻ｔ３において、第二ＤＣ電源１０３は、制御回路１０９に電圧Ｖｃｃ＿Ｂの供給を開始する。制御回路１０９は電圧Ｖｃｃ＿Ｂが供給されると、ＨＤＤ１１３の制御をはじめる。第二のリレー１０５をオンに切り替わったため第三ＤＣ電源１０４に交流が供給される。その結果、時刻ｔ３にいて、第三の第三ＤＣ電源１０４は駆動回路１１７への電圧Ｖｃｃ＿Ｃの供給を開始する。電圧Ｖｃｃ＿Ｃを供給された駆動回路１１７はモータ１１４、高圧電源１１５およびヒータ１１６などの制御をはじめる。
【００３４】
以上述べた動作により主電源スイッチ１０２、１２１がオンされると、第二ＤＣ電源１０３および第三ＤＣ電源１０４はそれぞれ電圧Ｖｃｃ＿Ｂ、Ｖｃｃ＿Ｃの出力を開始する。これにより、画像形成装置１００が画像形成動作を開始可能となる。
【００３５】
図５（Ｂ）を用いて、主電源スイッチ１２１がオフされたときの電源装置４００の動作を説明する。なお、信号や電圧の波形とタイミングは、説明の便宜上、一部では誇張され、また一部では簡略化されている。
【００３６】
時刻ｔ４において、主電源スイッチ１０２、１２１がオフされると、主電源スイッチ検出信号Ｓ１がローレベルになる。これは、電圧Ｖｃｃ＿Ａの供給が停止するためである。主電源スイッチ１２１がオフすると、第三ＤＣ電源１０４は第二のＡＣ供給ライン１１１からの交流の供給を遮断される。主電源スイッチ１０２、１２１のオフに連動して即時に電圧Ｖｃｃ＿Ｃがゼロに切り替わる。電圧Ｖｃｃ＿Ｃは、モータ１１４などを駆動するための電圧である。また、これらの負荷の消費電力は比較的に多い。よって、オペレーターが主電源スイッチ１０２、１２１をオフすると、即座に、これらの負荷への電力の供給を停止できる。なお、この時点で第三ＤＣ電源１０４は、第二のＡＣ供給ライン１１１から遮断されるが、第一のＡＣ供給ライン１１０からは遮断されていない。
【００３７】
時刻ｔ４から時刻ｔ５までの期間において第二のリレー１０５は第一ＤＣ電源１０１から電圧Ｖｃｃ＿Ａを供給され続けている。そのため、制御回路１０９はシャットダウン信号Ｓ２をハイレベルに維持している。つまり、第二ＤＣ電源１０３へは第一のＡＣ供給ライン１１０から交流が供給されている。よって、主電源スイッチ１０２がオフされても、第二ＤＣ電源１０３は、電圧Ｖｃｃ＿Ｂを出力できる。一方で、電圧Ｖｃｃ＿Ａを供給され続けているため、制御回路１０９は動作を続けることが可能である。しかし、制御回路１０９は、シャットダウン信号Ｓ２がハイレベルのときにのみ動作を続け、シャットダウン信号Ｓ２をローレベルに変更すると、シャットダウン動作を開始するものとする。このシャットダウン動作が完了すると、時刻ｔ５において、制御回路１０９はシャットダウン信号Ｓ２をハイレベルからローレベルへ切り替える。これにより、第二のリレー１０５がオフにされ、第一のＡＣ供給ライン１１０からの電力の供給が遮断される。この際、第三のＡＣ供給ライン１１２は通電状態のままである。これにより、時刻ｔ６において、第二ＤＣ電源１０３は電圧Ｖｃｃ＿Ｂの供給を停止する。またこの動作により、第三ＤＣ電源１０４は、第一のＡＣ供給ライン１１０および第二のＡＣ供給ライン１１１の双方から遮断される。
【００３８】
このように、本実施例によれば、主電源スイッチ１０２、１２１がオフになると、シャットダウンが必要な負荷についてはシャットダウンが完了してから電力の供給を停止し、かつ、シャットダウンが不要な負荷への電力の供給は即座に遮断できる。さらに、本実施例では、主電源スイッチ１２１を、第１遮断手段として機能させている。これは、主電源スイッチ１２１は、主電源スイッチ１０２のオン／オフに連動してオン／オフとなるスイッチだからである。よって、実施例２でもリレーとスイッチの数を従来技術よりも減らすことができる。さらに、実施例１の第一のリレー１０７を主電源スイッチ１２１に置換することで、さらにコストを低減できる。これは、メカニカルスイッチのほうがリレーよりも安価だからである。その他の効果については実施例１に関して説明したとおりである。
【図１】
0005984514.tif 000002
【図２】
0005984514.tif 000003
【図３】
0005984514.tif 000004
【図４】
0005984514.tif 000005
【図５】
0005984514.tif 000006